(57)【特許請求の範囲】
【請求項１】
把手嵌合孔(12)が形成された面板(11)を有し、その面板(11)の背面に前記把手嵌合孔(12)の対向内側面に沿って一対の側板(13)が設けられた台座(10)と、
その台座(10)の把手嵌合孔(12)を閉塞可能な大きさの平板部(21)の片面に指先係合環部(22)が設けられ、その指先係合環部(22)の外周における一方の端部に前記把手嵌合孔(12)の両端外周部のそれぞれに対して係合可能なストッパ(26)が設けられて、前記平板部(21)の両端間における長さ方向の中央部が前記台座(10)の側板(13)により回転自在に支持された把手環(20)とを有してなり、
前記台座(10)における一対の側板(13)の一端部に前記面板(11)の背面とでＶ字形の切欠部(15)を形成する傾斜面(14)を設け、
前記台座(10)の他端部に板ばね(30)を取り付け、その板ばね(30)の前記指先係合環部(22)と対向する端部に前記側板(13)の他端面と対向する折曲げ片(33)と、その折曲げ片(33)の端部にＵ字形の屈曲部(34)と、その屈曲部(34)の端部に傾斜片部(35)とを設け、前記傾斜片部(35)の先端部に把手取付け対象の蓋体(1)に形成された把手取付孔(2)の内周他端に対して係合可能な係合片(36)を設けた回転把手。
【請求項２】
前記係合片(36)が、前記傾斜片部(35)の先端部両側に設けられた一対の突片の曲げ起こしから形成され、その係合片(36)の傾斜状外側縁を円弧状として前記把手取付孔(2)の内周に対する係合部とした請求項１に記載の回転把手。
【発明の詳細な説明】
【技術分野】
【０００１】
この発明は、床下収納庫の開閉用蓋体や天井や床に形成された点検口の蓋体、あるいは、鋼板製キャビネットの蓋体等に取り付けられる回転把手に関する。
【背景技術】
【０００２】
一般に、床下収納庫の蓋体や床に形成された点検口の蓋体には、開閉操作用の把手として回転把手が取り付けられる。この回転把手においては、例えば、特許文献１に記載されているように、把手ケースの面板に形成された把手嵌合孔に把手環を収容して回転自在に支持し、蓋体の開閉に際しては把手環の一端部の押し込みにより、外部に起こされた把手環に手をかけて蓋体を開閉操作することが行われる。また、蓋体の閉鎖後、把手環から手を離すことにより、その把手環が把手ケース内に自動収容して、把手環の平坦面と把手ケースの面板とが同一面を形成し、歩行の際の障害物とならない構成とされている。
【先行技術文献】
【特許文献】
【０００３】
【特許文献１】特開平８−５３９５８号公報
【発明の概要】
【発明が解決しようとする課題】
【０００４】
ところで、上記特許文献１に記載の回転把手は、比較的厚手の蓋体に対して、ビスの締め付けにより把手ケースの取り付けとしており、蓋体がステンレス板等の薄手の蓋体であっても、従来では、ビスの締め付けで把手ケースの取り付けとしているため、取り付けに非常に手間がかかっていた。
【０００５】
また、把手ケースの取り付けに際して、押え板を必要とし、コスト的にも不利であった。
【０００６】
この発明の課題は、ステンレス板等の薄手の蓋体に対して簡単に取り付けることができるようにした回転把手を提供することである。
【課題を解決するための手段】
【０００７】
上記の課題を解決するため、この発明においては、把手嵌合孔が形成された面板を有し、その面板の背面に前記把手嵌合孔の対向内側面に沿って一対の側板が設けられた台座と、その台座の把手嵌合孔を閉塞可能な大きさの平板部の片面に指先係合環部が設けられ、その指先係合環部の外周における一方の端部に前記把手嵌合孔の両端外周部のそれぞれに対して係合可能なストッパが設けられて、前記平板部の両端間における長さ方向の中央部が前記台座の側板により回転自在に支持された把手環とを有してなり、前記台座における一対の側板の一端部に前記面板の背面とでＶ字形の切欠部を形成する傾斜面を設け、前記面板の他端部背面に板ばねを取り付け、その板ばねの前記指先係合環部と対向する端部に前記側板の他端面と対向する折曲げ片と、その折曲げ片の端部にＵ字形の屈曲部と、その屈曲部の端部に傾斜片部とを設け、前記傾斜片部の先端部に把手取付け対象の蓋体に形成された把手取付孔の内周他端に対して係合可能な係合片を設けた構成を採用したのである。
【０００８】
上記の構成からなる回転把手の取り付けに際しては、蓋体に対して台座の面板を、一端部が他端より蓋体に近接する傾斜状として、一対の側板の一端部を蓋体に形成された把手取付孔の一端部内に挿入し、その側板の一端部に形成された傾斜面と面板の背面とで形成される切欠部に把手取付孔の内周一端部を係合させた状態で台座の他端部を蓋体側に押し込むようにする。
【０００９】
上記のように、切欠部に対する把手取付孔の内周一端部の係合状態で、傾斜状とされた台座の他端部を押し込むと、板ばねの傾斜片部が把手取付孔内に進入し、その進入途中において傾斜片部が把手取付孔の内周他端部に接触しながら移動する。その接触移動によって傾斜片部が折曲げ片側に弾性変形し、進入量が多くなるにつれて傾斜片部の弾性変形量も多くなる。
【００１０】
把手取付孔内に傾斜片部の全体が進入し、台座の面板の他端部が蓋体の表面に当接して面板が蓋体と平行すると、傾斜片部の復元弾性により、その傾斜片部が形状復元して係合片が把手取付孔の内周他端に係合する。その係合によって台座が取付け状態とされる。
【００１１】
ここで、傾斜片部の先端部両側に設けられた一対の突片の曲げ起こしによって係合片を形成し、その曲げ起こしからなる係合片の傾斜状外側縁を円弧状として把手取付孔の内周他端に対する係合部とすることにより、係合片と把手取付孔の内周他端の係合がエッジによる係合となるため、台座を極めて安定よく、確実に取り付けることができる。
【発明の効果】
【００１３】
この発明においては、上記のように、側板の一端部に面板の背面とで切欠部を形成する傾斜面を設け、面板の他端部に取り付けられた板ばねに折曲げ片および屈曲部を介して傾斜片部を設け、その傾斜片部の先端部に係合片を設けたことにより、上記切欠部に把手取付孔の内周一端部を係合し、傾斜状態とされた面板の他端部を蓋体側に押し込む簡単な作業によって回転把手の取り付けとすることができる。
【図面の簡単な説明】
【００１４】
【図１】この発明に係る回転把手の縦断面図
【図２】図１の一部切欠左側面図
【図３】図１のIII−III線に沿った断面図
【図４】図３のIV−IV線に沿った断面図
【図５】台座から板ばねを取り外した状態の分解斜視図
【図６】（ａ）、（ｂ）は回転把手の取付け状態を段階的に示す断面図
【図７】回転把手の指先係合環部を外部に取り出した状態の断面図
【図８】（ａ）は薄手の蓋体に回転把手を取り付けた状態の断面図、（ｂ）は厚手の蓋体に回転把手を取り付けた状態の断面図
【発明を実施するための形態】
【００１５】
以下、この発明の実施の形態を図面に基づいて説明する。図１および図５に示すように、回転把手Ａは、台座１０と、その台座１０に回転自在に支持される把手環２０とを有する。
【００１６】
台座１０は、長方形の面板１１に、その両端方向に長い角孔からなる把手嵌合孔１２を形成し、その面板１１の背面には、上記把手嵌合孔１２の内側面に沿って対向一対の側板１３を設けた構成とされている、
【００１７】
ここで、台座１０における面板１１は、蓋体１に形成された長方形の把手取付孔２の全体を覆うことのできる大きさとされる。一方、一対の側板１３は両端間の長さおよび外側面間の幅寸法が、上記把手取付孔２内に嵌合可能な長さおよび幅寸法とされている。
【００１８】
把手環２０は、台座１０の把手嵌合孔１２を閉塞可能な大きさの平板部２１の片面に半円形の指先係合環部２２を設けた構成とされており、上記平板部２１の背面における長さ方向の中央部には半円形膨出部２３が設けられ、その膨出部２３の一側面から他側面に貫通するピン孔２４にスプリングピンからなる支持ピン２５が圧入されている。
【００１９】
把手環２０は、平板部２１が台座１０の把手嵌合孔１２に収容される組み込みとされて、支持ピン２５の両端部が台座１０の一対の側板１３により回転自在に支持され、上記支持ピン２５を中心にして把手環２０が回転自在とされている。
【００２０】
把手環２０の外周における一方の端部にはストッパ２６が設けられている。ストッパ２６は平板部２１が台座１０の把手嵌合孔１２に嵌合され、その表面が台座１０の表面と同一面を形成する把手環２０の収容状態で台座１０における把手嵌合孔１２の一端部外周に係合して、把手環２０が自重による回転モーメントで図１の反時計方向に回転するのを防止する。
【００２１】
また、把手環２０の平板部２１における表面の一方の端部には、複数本の横溝２７が形成され、その横溝２７の形成部が把手環２０を回動操作する操作部とされている。
【００２２】
図１および図５に示すように、台座１０における一対の側板１３の一端部には傾斜面１４が形成され、その傾斜面１４は面板１１の背面一端部との間でＶ字形の切欠部１５を形成している。
【００２３】
図２乃至図５に示すように、台座１０における面板１１の他端部背面には角形の凹部１６が形成され、その凹部１６内に板ばね３０が嵌合されて面板１１に取り付けられている。
【００２４】
板ばね３０の取り付けに際し、ここでは、凹部１６の底面に一対の円形突起１７と角形突起１８とを設け、板ばね３０にはその円形突起１７および角形突起１８に対応して突起挿入孔３１、３２を形成し、その突起挿入孔３１、３２のそれぞれに円形突起１７および角形突起１８を挿入して、円形突起１７の先端の加締めにより板ばね３０を固定している。
【００２５】
板ばね３０の把手環２０と対向する端部には側板１３の他端面に面係合する折曲げ片３３と、その折曲げ片３３の端部にＵ字形の屈曲部３４と、その屈曲部３４の端部に傾斜片部３５とが設けられている。また、傾斜片部３５の先端部両側には係合片３６が設けられている。
【００２６】
係合片３６は、傾斜片部３５の先端部を上記折曲げ片３３に向く内向きの折り曲げによって形成されたものであってもよいが、ここでは、傾斜片部３５の先端部両側に突片を形成して、その突片の内向きへの曲げ起こしによって係合片３６を形成している。
【００２７】
係合片３６の外側は円弧状の傾斜縁３７とされ、その傾斜縁３７が蓋体１に形成された把手取付孔２の内周一端部に対する係合部とされている。
【００２８】
実施の形態で示す回転把手は上記の構造からなり、図６（ａ）（ｂ）は、把手取付孔２が形成された蓋体１に対する回転把手Ａの取り付けを示す。その回転把手Ａの取り付けに際しては、蓋体１に対して台座１０の面板１１を、一端部が他端より蓋体１に近接する傾斜状として、一対の側板１３の一端部を蓋体１に形成された把手取付孔２の一端部内に挿入する。側板１３の一端部が把手取付孔２内に挿入された状態において、図６（ａ）に示すように、側板１３の一端部に形成された傾斜面１４と面板１１の背面とで形成される切欠部１５に把手取付孔２の内周一端部を係合させ、その係合後、同図の矢印で示すように、台座１０の他端部を蓋体１側に押し込むようにする。
【００２９】
上記のように、切欠部１５に対する把手取付孔２の一端部の係合状態で、傾斜状とされた台座１０の他端部を押し込むと、板ばね３０の屈曲部３４および傾斜片部３５が把手取付孔２内に進入し、その進入時、傾斜片部３５が把手取付孔２の内周他端に接触しながら移動する。その接触移動によって傾斜片部３５が折曲げ片３３側に弾性変形し、進入量が多くなるにつれて傾斜片部３５の弾性変形量も多くなる。
【００３０】
把手取付孔２内に傾斜片部３５の全体が進入し、台座１０における面板１１の他端部が蓋体１の表面に当接して面板１１が蓋体１と平行すると、傾斜片部３５の復元弾性により、その傾斜片部３５が形状復元して、図６（ｂ）で示すように、係合片３６が把手取付孔２の内周他端に係合し、回転把手Ａの取付けとされる。
【００３１】
このように、切欠部１５に把手取付孔２の一端部を係合し、傾斜状態とされた面板１１の他端部を蓋体１側に押し込むことによって回転把手Ａの取り付けとすることができるため、回転把手Ａを極めて簡単に取り付けることができる。
【００３２】
また、回転把手Ａの取付け状態では、係合片３６と把手取付孔２の内周他端部の係合がエッジの係合になるため、回転把手Ａを極めて安定よく、確実に取り付けることができる。
【００３３】
図８（ａ）は、板厚が１．２ｍｍとされた最も薄手の蓋体１に回転把手Ａを取り付けた状態を示している。
【００３４】
そして、図８（ｂ）に示すように、蓋体１の厚さｔが（ａ）に示す蓋体１の厚さより厚くなると、板ばね３０の撓みが大きくなり、その弾性によって、回転把手Ａをより強固に取り付けることができる。
【００３５】
図１に示す回転把手Ａの取付け状態において、同図の矢印で示すように、把手環２０の平板部２１の一端部を押圧すると、支持ピン２５を中心に把手環２０が同図の時計方向に回転して、指先係合環部２２が外部に露出する。
【００３６】
図７は、把手環２０を１８０°回転させた状態を示し、その１８０°の回転によりストッパ２６が把手嵌合孔１２の一端外周部に係合して、それ以上に把手環２０を回転させることができず、外部に露出する指先係合環部２２に指先を係合して引くことによって、蓋体１の開放操作することができる。
【００３７】
図１においては、回転把手Ａの台座１０における面板１１を垂直とする使用を示したが、面板１１を水平とする使用においては、外部に引き出した把手環２０の指先係合環部２２から手を離すと、自重による回転モーメントによって把手環２０を平板部２１が面板１１の把手嵌合孔１２を閉塞する閉鎖位置に自動復帰させることができる。
【符号の説明】
【００３８】
１  蓋体
２  把手取付孔
１０  台座
１１  面板
１２  把手嵌合孔
１３  側板
１４  傾斜面
１５  切欠部
２０  把手環
２１  平板部
２２  指先係合環部
２６  ストッパ
３０  板ばね
３３  折曲げ片
３４  屈曲部
３５  傾斜片部
３６  係合片
３７  傾斜縁（係合部）
【図１】
0006567353.tif 000002
【図２】
0006567353.tif 000003
【図３】
0006567353.tif 000004
【図４】
0006567353.tif 000005
【図５】
0006567353.tif 000006
【図６】
0006567353.tif 000007
【図７】
0006567353.tif 000008
【図８】
0006567353.tif 000009